(57)【要約】【課題】電気錠の状態判別中での突入電流の発生を抑制することができる電気錠システム用アダプタ及び電気錠システムを提供する。【解決手段】本発明の一実施形態に係るアダプタ３０は、錠止機構１１を駆動する駆動部１２を有する電気錠１０と、駆動部１２の通電を制御する制御ユニット２０とを含む電気錠システム用アダプタであって、第１の入出力部３１と、第２の入出力部３２と、規制部３４とを具備する。第１の入出力部３１は、電気錠１０に接続される。第２の入出力部３２は、制御ユニット２０に接続される。規制部３４は、第１の入出力部３１と第２の入出力部３２との間に接続され、電気錠１０への電源投入後、制御ユニット２０による電気錠１０の状態判別が完了するまで駆動部１２の起動を規制する。【選択図】図４
2014190110.tif 000002
【特許請求の範囲】
【請求項１】
扉を施解錠する錠止機構と、前記錠止機構を駆動する駆動部と、前記錠止機構の施解錠状態及び前記扉の開閉状態を含む状態判別を行うための判別回路とを有する電気錠と、前記駆動部の通電を制御する制御ユニットとを含む電気錠システム用アダプタであって、
前記電気錠に接続される第１の入出力部と、
前記制御ユニットに接続される第２の入出力部と、
前記第１の入出力部と前記第２の入出力部との間に接続され、前記電気錠への電源投入後、前記制御ユニットによる前記状態判別が完了するまで前記駆動部の起動を規制する規制部と
を具備する電気錠システム用アダプタ。
【請求項２】
請求項１に記載の電気錠システム用アダプタであって、
前記駆動部は、前記錠止機構を駆動する電磁アクチュエータと、前記電磁アクチュエータの通電を制御する駆動回路とを含み、
前記規制部は、前記駆動回路への電源入力を遅延させる遅延回路を含む
電気錠システム用アダプタ。
【請求項３】
請求項２に記載の電気錠システム用アダプタであって、
前記遅延回路は、前記電磁アクチュエータの通電を制御するスイッチング素子と、前記スイッチング素子の入力段に接続されたＣＲ並列回路とを含む
電気錠システム用アダプタ。
【請求項４】
請求項１から請求項３のいずれか１つに記載の電気錠システム用アダプタであって、
前記第１の入出力部は、２線以上の配線の端子を含み、
前記第２の入出力部は、２線式の端子を含む
電気錠システム用アダプタ。
【請求項５】
請求項４に記載の電気錠システム用アダプタであって、
前記第１の入出力部は、前記駆動部に電気的に接続可能な第１の端子群と、前記判別回路に電気的に接続可能な第２の端子群とを有し、
前記規制部は、前記第１の端子群に電気的に接続される
電気錠システム用アダプタ。
【請求項６】
扉を施解錠する錠止機構と、前記錠止機構を駆動する駆動部と、前記錠止機構の施解錠状態及び前記扉の開閉状態を含む状態判別を行うための判別回路とを有する電気錠と、
前記駆動部の通電を制御する制御ユニットと、
前記電気錠に接続される第１の入出力部と、前記制御ユニットに接続される第２の入出力部と、前記第１の入出力部と前記第２の入出力部との間に接続され、前記電気錠への電源投入後、前記制御ユニットによる前記状態判別が完了するまで前記駆動部の起動を規制する規制部とを有するアダプタと
を具備する電気錠システム。
【発明の詳細な説明】
【技術分野】
【０００１】
本発明は、扉の開閉状態や施解錠状態を判別する判別回路を備えた電気錠を含む電気錠システム及びこれに用いられるアダプタに関する。
【背景技術】
【０００２】
電気錠は、その用途に応じて種々の電磁アクチュエータを採用している。電気錠には、デッドボルトの移動を電磁アクチュエータにより制御するものの他、扉枠側においてデッドボルトを係止するストライクを電磁アクチュエータにより制御する、いわゆる電気ストライクも含まれる。電磁アクチュエータにはソレノイドあるいはモータが採用され、電気錠の種別によって使い分けられる。
【０００３】
電気錠とそれを制御するための制御盤とを備えた電気錠システムにおいて、電気錠の種別及び施解錠状態、並びに扉の開閉状態の判別を２線式のアダプタを用いて実現する技術が知られている（例えば下記特許文献１，２参照）。
【先行技術文献】
【特許文献】
【０００４】
【特許文献１】特許第２９２７３５８号公報
【特許文献２】特許第３０８９６１６号公報
【発明の概要】
【発明が解決しようとする課題】
【０００５】
２線式のアダプタを用いた電気錠システムにおいては、システムの立ち上げ時に錠種判別や電気錠の施解錠状態の判別が実行される。このとき電磁アクチュエータにも駆動電流が通電されるため、電気錠の状態判別中に電磁アクチュエータの起動に伴う突入電流が発生し、電気錠の状態判別を適正に行うことができなくなる場合がある。
【０００６】
以上のような事情に鑑み、本発明の目的は、電気錠の状態判別中での突入電流の発生を抑制することができる電気錠システム用アダプタ及び電気錠システムを提供することにある。
【課題を解決するための手段】
【０００７】
上記目的を達成するため、本発明の一形態に係る電気錠システム用アダプタは、扉を施解錠する錠止機構と、上記錠止機構を駆動する駆動部と、上記錠止機構の施解錠状態及び上記扉の開閉状態を含む状態判別を行うための判別回路とを有する電気錠と、上記駆動部の通電を制御する制御ユニットとを含む電気錠システム用アダプタであって、第１の入出力部と、第２の入出力部と、規制部とを具備する。
上記第１の入出力部は、上記電気錠に接続される。
上記第２の入出力部は、上記制御ユニットに接続される。
上記規制部は、上記第１の入出力部と上記第２の入出力部との間に接続され、上記電気錠への電源投入後、上記制御ユニットによる上記状態判別が完了するまで上記駆動部の起動を規制する。
【０００８】
また本発明の一形態に係る電気錠システムは、電気錠と、制御ユニットと、アダプタとを具備する。
上記電気錠は、扉を施解錠する錠止機構と、上記錠止機構を駆動する駆動部と、上記錠止機構の施解錠状態及び上記扉の開閉状態を含む状態判別を行うための判別回路とを有する。
上記制御ユニットは、上記駆動部の通電を制御する。
上記アダプタは、第１の入出力部と、第２の入出力部と、規制部とを有する。上記第１の入出力部は、上記電気錠に接続される。上記第２の入出力部は、上記制御ユニットに接続される。上記規制部は、上記第１の入出力部と上記第２の入出力部との間に接続され、上記電気錠への電源投入後、上記制御ユニットによる上記状態判別が完了するまで上記駆動部の起動を規制する。
【図面の簡単な説明】
【０００９】
【図１】本発明の一実施形態に係る電気錠システムを示す概略図である。
【図２】本発明の一実施形態に係る電気錠の内部構成を示すブロック図である。
【図３】上記電気錠における駆動回路の構成例を示す回路図である。
【図４】本発明の一実施形態に係る電気錠システム用アダプタの構成を示す回路図である。
【図５】上記電気錠システムの作用の説明図である。
【発明を実施するための形態】
【００１０】
本発明の一実施形態に係る電気錠システム用アダプタは、扉を施解錠する錠止機構と、上記錠止機構を駆動する駆動部と、上記錠止機構の施解錠状態及び上記扉の開閉状態を含む状態判別を行うための判別回路とを有する電気錠と、上記駆動部の通電を制御する制御ユニットとを含む電気錠システム用アダプタであって、第１の入出力部と、第２の入出力部と、規制部とを具備する。
上記第１の入出力部は、上記電気錠に接続される。
上記第２の入出力部は、上記制御ユニットに接続される。
上記規制部は、上記第１の入出力部と上記第２の入出力部との間に接続され、上記電気錠への電源投入後、上記制御ユニットによる上記状態判別が完了するまで上記駆動部の起動を規制する。
【００１１】
上記電気錠システム用アダプタは、規制部によって、電気錠の状態判別が完了するまで駆動部の起動を規制することで、上記状態判別時に突入電流が発生することを防止する。これにより電気錠の適正な状態判別を実施することが可能となり、電気錠の適正な動作を確保することができる。
【００１２】
典型的には、上記駆動部は、上記錠止機構を駆動する電磁アクチュエータと、上記電磁アクチュエータの通電を制御する駆動回路とを含む。この場合、上記規制部は、上記駆動回路への電源入力を遅延させる遅延回路を含む。これにより電磁アクチュエータの起動を電気的に遅延させることが可能となり、アダプタの構成を簡素化することができる。
【００１３】
上記遅延回路は、上記電磁アクチュエータの通電を制御するスイッチング素子と、上記スイッチング素子の入力段に接続されたＣＲ並列回路とを含んでもよい。上記構成により、上記ＣＲ回路の時定数を適宜の値に設定することで、電磁アクチュエータの起動遅延時間を所望の値に設定することができる。
【００１４】
上記アダプタは、２線式のアダプタで構成されてもよい。上記第１の入出力部は、２線以上の配線の端子を含み、上記第２の入出力部は、２線式の端子を含む。これにより配線数を削減でき、電源側からみた配線負荷の低減を図ることができる。
【００１５】
上記第１の入出力部は、典型的には、上記駆動部に電気的に接続可能な第１の端子群と、上記判別回路に電気的に接続可能な第２の端子群とを有し、上記規制部は、上記第１の端子群に電気的に接続される。これにより判別回路に影響を与えることなく駆動部の起動を規制することができる。
【００１６】
本発明の一実施形態に係る電気錠システムは、電気錠と、制御ユニットと、アダプタとを具備する。
上記電気錠は、扉を施解錠する錠止機構と、上記錠止機構を駆動する駆動部と、上記錠止機構の施解錠状態及び上記扉の開閉状態を含む状態判別を行うための判別回路とを有する。
上記制御ユニットは、上記駆動部の通電を制御する。
上記アダプタは、第１の入出力部と、第２の入出力部と、規制部とを有する。上記第１の入出力部は、上記電気錠に接続される。上記第２の入出力部は、上記制御ユニットに接続される。上記規制部は、上記第１の入出力部と上記第２の入出力部との間に接続され、上記電気錠への電源投入後、上記制御ユニットによる上記状態判別が完了するまで上記駆動部の起動を規制する。
【００１７】
以下、図面を参照しながら、本発明の実施形態を説明する。
【００１８】
図１は、本発明の一実施形態に係る電気錠システムを示す概略図である。図２は、電気錠の内部構成を示すブロック図である。
【００１９】
本実施形態に係る電気錠システム１００は、扉Ｄに設置される電気錠１０と、電気錠１０を制御する制御ユニット２０と、電気錠１０と制御ユニット２０との間に接続されたアダプタ３０とを有する。
【００２０】
［電気錠］
電気錠（電気錠ユニット）１０は、錠止機構１１と、駆動部１２と、入力部１３と、判別回路１４とを有する。
【００２１】
錠止機構１１は、扉Ｄの自由側端縁部に取り付けられ、扉Ｄを施錠又は解錠することが可能に構成される。錠止機構１１は、典型的にはデッドボルトやそれを含む周辺部品が挙げられるが、勿論これに限られない。
【００２２】
駆動部１２は、図２に示すように、錠止機構１１を駆動する電磁アクチュエータ１２１と、電磁アクチュエータ１２１の通電を制御する駆動回路１２２とを有する。
【００２３】
一般に、電気錠は、電磁アクチュエータの種類により大きく３種類に分類される。第１の分類は、電磁アクチュエータとしてソレノイドあるいはロータリソレノイドを用いる電気錠である（以下、第一種電気錠ともいう）。第一種電気錠は、施錠又は解錠のため連続的に通電し、解錠又は施錠時には電流を絶つ。以下前者を施錠時連続通電型電気錠、後者を解錠時連続通電型電気錠ともいう。
【００２４】
第２の分類は、電磁アクチュエータとして双安定型のラッチングソレノイド（いわゆるプッシュプルソレノイド）を用いる電気錠である（以下、第二種電気錠ともいう）。第二種電気錠は、施錠あるいは解錠時短時間直流を通電すると電磁アクチュエータが作動し、その作動位置を主に磁気的に保持する。そのため施錠あるいは解錠状態を保つためさらに通電する必要はない。なお、この第二種電気錠には、その機構上、施錠時又は解錠時に正負の異なる電圧を印加するものと、施錠又は解錠に拘わらず同じ極性の電圧を印加することにより、施錠機構が施錠状態及び解錠状態を交互にとるものとの２種類がある。そこで以下前者を瞬時通電有極型電気錠と、後者を瞬時通電無極型電気錠とも称する。
【００２５】
第３の分類は、電磁アクチュエータとして直流モータを用いる電気錠である（以下、第三種電気錠ともいう）。第三種電気錠は、デッドボルトをマイクロモータにより駆動するので錠止が確実であり、重要な部屋の電気錠として多用されている。
【００２６】
本実施形態において電気錠１０は第三種電気錠で構成される。すなわち電磁アクチュエータ１２１は、直流モータで構成される。なおこれに限られず、電気錠１０は、第一種あるいは第二種電気錠で構成されてもよい。
【００２７】
一方、駆動回路１２２は、施錠用駆動回路１２２ａと、解錠用駆動回路１２２ｂと、逆流防止用のダイオードＤ１，Ｄ２とを有する。駆動回路１２２は上述の例に限られず、他の回路で構成されてもよい。
【００２８】
施錠用駆動回路１２２ａは、直流モータで構成された電磁アクチュエータ１２１を例えば正転させることで、錠止機構１１のデッドボルトを解錠位置から施錠位置へ移動させる。反対に、解錠用駆動回路１２２ｂは、電磁アクチュエータ１２１を逆転させることで、錠止機構１１のデッドボルトを施錠位置から解錠位置へ移動させる。
【００２９】
次に、入力部１３は、アダプタ３０との接続部を構成し、本実施形態では６つの入出力端子Ｔ１，Ｔ２，Ｔ３、Ｔ４，Ｔ５，Ｔ６を有する。端子Ｔ１及びＴ２は、駆動部１２の通電端子及び電気錠１０の錠種判別端子として機能する。端子Ｔ３及びＴ４は、扉Ｄの開閉状態の判別端子として機能し、端子Ｔ５及びＴ６は錠止機構１１の施解錠状態の判別端子として機能する。
【００３０】
判別回路１４は、扉Ｄが開状態（開扉状態）であるか閉状態（閉扉状態）であるかを判定するための第１の判別回路部１４１と、錠止機構１１が施錠状態であるか解錠状態であるかを判定するための第２の判別回路部１４２とを有する。
【００３１】
第１の判別回路部１４１は、端子Ｔ３と端子Ｔ４との間に接続された開閉扉スイッチＳ１と閉扉抵抗Ｒ１との直列回路を含む。開閉扉スイッチＳ１は、扉Ｄの開閉状態を検出する検出器４０の出力に応じて開閉するように構成される。検出器４０は、例えば、扉Ｄに取り付けられたリードスイッチで構成される。開閉扉スイッチＳ１は、開扉時にオフ、閉扉時にオンとなるように構成される。
【００３２】
第２の判別回路部１４２は、端子Ｔ５と端子Ｔ６との間に接続された施解錠スイッチＳ２と、施錠抵抗Ｒ２１と、解錠抵抗Ｒ２２とを含む。施解錠スイッチＳ２は、端子Ｔ５と端子ｔ１との間を接続し端子Ｔ５と端子ｔ２との間の接続を遮断する第１の状態と、端子Ｔ５と端子ｔ２との間を接続し端子Ｔ５と端子ｔ１との間の接続を遮断する第２の状態との間で切り替え可能に構成される。施錠抵抗Ｒ２１及び解錠抵抗Ｒ２２は端子Ｔ５，Ｔ６との間に並列的に接続され、施錠抵抗Ｒ２１は端子ｔ１に直列に接続され、解錠抵抗Ｒ２２は端子ｔ２２に直列に接続される。
【００３３】
施解錠スイッチＳ２は、錠止機構１１を構成するデッドボルトの進退に伴って切り替わるように構成されている。上記デッドボルトは、上述のように電磁アクチュエータ１２１の駆動により進退し、施解錠スイッチＳ２は、当該デッドボルトとの接触により上記第１の状態から第２の状態へ、あるいは上記第２の状態から第１の状態へ機械的に切り替えられる。
【００３４】
図３Ａ，Ｂは、施錠用駆動回路１２２ａ及び解錠用駆動回路１２２ｂの構成例をそれぞれ示す回路図である。
【００３５】
図３Ａに示す施錠用駆動回路１２２ａにおいて、施錠時には、入力部１３の端子Ｔ１−Ｔ２間には例えば２４Ｖの駆動電圧が印加される。ここでは施錠時に端子Ｔ１が端子Ｔ２よりも高電位となるように駆動電圧が印加される。端子Ｔ１−Ｔ２間に駆動電圧が印加された状態で、駆動制御スイッチＳ２１が図中実線で示すＮＯ端子側に接続されると共にＮＣ端子側と切断されると、駆動制御信号経路Ｌ１を介して、駆動トランジスタＴｒ１のベース端子に高レベルの駆動制御信号が入力される。そして駆動トランジスタＴｒ１はオン状態となり、電磁アクチュエータ（直流モータ）１２１が正回転する。
【００３６】
駆動トランジスタＴｒ１は、ＮＰＮ型トランジスタで構成される。駆動制御スイッチＳ２１は、例えばデッドボルトの移動に伴って開閉するメカスイッチで構成され、当該デッドボルトが解錠位置にあるときにＮＯ端子側と接続され、施錠位置にあるときにＮＣ端子側と接続される。したがって電磁アクチュエータ１２１の駆動によりデッドボルトが解錠位置から施錠位置へ移動すると、駆動制御スイッチＳ２１は図中二点鎖線で示すＮＣ端子側に接続されると共にＮＯ端子側と切断される。これにより駆動トランジスタＴｒ１はオフ状態となり、電磁アクチュエータ１２１の回転が停止する。
【００３７】
一方、解錠時は、図３Ｂに示すように、端子Ｔ２が端子Ｔ１よりも高電位となるように駆動電圧が印加される。端子Ｔ１−Ｔ２間に駆動電圧が印加された状態で、駆動制御スイッチＳ２２が図中実線で示すＮＯ端子側に接続されると共にＮＣ端子側と切断されると、駆動制御信号経路Ｌ２を介して、駆動トランジスタＴｒ２のベース端子に高レベルの駆動制御信号が入力される。そして駆動トランジスタＴｒ２はオン状態となり、電磁アクチュエータ（直流モータ）１２１が逆回転する。
【００３８】
駆動トランジスタＴｒ２は、ＮＰＮ型トランジスタで構成される。駆動制御スイッチＳ２２は、例えばデッドボルトの移動に伴って開閉するメカスイッチで構成され、当該デッドボルトが施錠位置にあるときにＮＯ端子側と接続され、解錠位置にあるときにＮＣ端子側と接続される。したがって電磁アクチュエータ１２１の駆動によりデッドボルトが施錠位置から解錠位置へ移動すると、駆動制御スイッチＳ２２は図中二点鎖線で示すＮＣ端子側に接続されると共にＮＯ端子側と切断される。これにより駆動トランジスタＴｒ２はオフ状態となり、電磁アクチュエータ１２１の回転が停止する。
【００３９】
なお図３Ａ，Ｂにおいて符号Ｄ１，Ｄ２は、逆流防止用のダイオードである。抵抗Ｒ１１，Ｒ１２は駆動トランジスタＴｒ１，Ｔｒ２を大電流から保護するための抵抗素子である。Ｒ３１，Ｒ３２は、駆動トランジスタＴｒ１，Ｔｒ２のベース−エミッタ端子間にそれぞれ接続された抵抗素子であり、ベース端子を安定化させてトランジスタＴｒ１，Ｔｒ２を確実にオフにする目的で接続される。
【００４０】
［制御ユニット］
制御ユニット２０は、アダプタ３０を介して電気錠１０へ電力を供給し、電気錠１０を監視すると共に、ドアＤの外表面に設置された操作部５０（図１）の操作に応じた電気錠の施解錠を制御する。操作部５０は、例えば、テンキー入力操作盤、カードリーダ等を含み、室外又は屋外から入場するユーザによって操作される。
【００４１】
上述のように一般に電気錠は、電磁アクチュエータの種類によって幾つかに分類されるが、これらの電気錠のそれぞれに専用のコントローラ（制御ユニット）を製造することは種々煩雑な事態が生じる。そこで通常では、あらゆる型の電磁アクチュエータに対応できる１種類の汎用型のコントローラを製造し、このコントローラの電力供給部を接続される電気錠の種類に応じて適切に設定し、上記した５種類の電気錠のそれぞれに対応できるようにしている。
【００４２】
上記汎用型のコントローラにおいては、電磁アクチュエータを適切に設定してこれらに供給される直流電圧が一定に設定されると共に、直流電源と電気錠との間に論理回路を利用した電力供給制御装置が挿設される。これにより上記汎用型のコントローラは、例えば施錠時連続通電型の電気錠の場合には、施錠信号は発生したとき直流電圧を連続的に電磁アクチュエータに印加し、また、例えば瞬時通電有極型の電気錠の場合には、解錠信号発生時、所定の極性の直流電圧を極短時間電磁アクチュエータに印加するように作動する。
【００４３】
上述のように電気錠システム１００は、電気錠１０の施解錠の状態変化によって切り替わる施解錠スイッチＳ２を介して、それぞれ電磁アクチュエータ１２１に並列に、かつ選択的に接続される施錠抵抗Ｒ２１及び解錠抵抗Ｒ２２と、扉Ｄの開閉に伴って切り替わる開閉扉スイッチＳ１を介して、電磁アクチュエータ１２１に接続される開扉抵抗（本例では無限大）及び閉扉抵抗Ｒ１とを有する。電気錠システム１００は、これらの抵抗の抵抗値を電磁アクチュエータ１２１のそれよりも大きく、かつ相互に相異なる値に設定して電気錠１０の状態観測器を構成し、この状態観測器と電磁アクチュエータ１２１とを並列に接続したものに、電気錠１０の制御及び監視の目的に応じて、それぞれ直流電圧及び交流電圧を切り替えて印加する。
【００４４】
本実施形態の電気錠システム１００は、直流電圧の印加時には抵抗値の大きい状態観測器を直流電流がほとんど流れず、電磁アクチュエータ１２１の作動にはほとんど影響がない。また交流電圧印加時には電磁アクチュエータ１２１のコイルのインピーダンスが状態観測器のそれより格段に大きくなり、交流電流である観測電流の大部分が状態観測器を流れる。そこで本実施形態の電気錠システム１００は、施解錠及び扉の開閉の状態変化に応じて施解錠スイッチＳ２及び開閉扉スイッチＳ１が切り替わり、電源側から見た状態観測器の合成抵抗値が状態に応じて変化することを利用して、観測電流を測定することにより、制御ユニット２０側から電気錠１０の状態を監視する。
【００４５】
［アダプタ］
アダプタ３０は、電気錠１０と制御ユニット２０との間を接続するケーブルや回路基板を含む各種部材で構成される。上述のように電気錠１０は６線式（勿論これに限られず、端子数に応じて適宜変更可能であり、例えば７線、８線、９線式等で構成されてもよい）であるのに対して、制御ユニット２０は２線式で構成される。そこで本実施形態のアダプタ３０は、電気錠１０の線数を制御ユニット２０の線数に変換する２線式のアダプタで構成される。
【００４６】
図４は、アダプタ３０の構成を示す回路図である。本実施形態のアダプタ３０は、電気錠１０の入力部１３に接続される６線式の第１の入出力部３１と、制御ユニット２０に接続される２線式の第２の入出力部３２と、配線部３３とを有する。配線部３３は、後に詳述するように２線式制御ユニット２０の電源供給ラインを、本例では６線に分岐して入力部１３の各端子Ｔ１〜Ｔ６へ接続する変換部として機能する。これにより電気錠１０と制御ユニット２０との間に接続される配線数の削減を図ることができる。
【００４７】
第１の入出力部３１は、本例では６つの端子Ｔ１１，Ｔ１２，Ｔ１３，Ｔ１４，Ｔ１５及びＴ１６を有する。端子Ｔ１１〜Ｔ１６は、電気錠１０の入力部１３の端子Ｔ１〜Ｔ６にそれぞれ対応し、端子Ｔ１〜Ｔ６に各々着脱可能に構成される。ここで、端子Ｔ１１及びＴ１２は、駆動部１２（駆動回路１２２（１２２ａ，１２２ｂ））電気的に接続可能な第１の端子群に相当し、端子Ｔ１３〜Ｔ１６は、判別回路１４（１４１，１４２）に電気的に接続可能な第２の端子群に相当する。
【００４８】
一方、第２の入出力部３２は、本例では２つの端子Ｔ２１及びＴ２２を有する。端子Ｔ２１，Ｔ２２は、制御ユニット２０の電源端子Ｕ１及びＵ２に対応し、電源端子Ｕ１，Ｕ２に各々着脱可能に構成される。
【００４９】
配線部３３は、第１の入出力部３１側では配線Ｌ１１，Ｌ１２，Ｌ１３，Ｌ１４，Ｌ１５及びＬ１６の６線で構成され、第２の入出力部３２側では配線Ｌ２１及びＬ２２の２線で構成される。配線Ｌ１１，Ｌ１３及びＬ１５の一端は、端子Ｔ１１，Ｔ１３及びＴ１４にそれぞれ接続され、それらの他端は、配線Ｌ２１を介して端子Ｔ２１にそれぞれ接続される。配線Ｌ１２，Ｌ１４及びＬ１６の一端は、端子Ｔ１２，Ｔ１４及びＴ１６にそれぞれ接続され、それらの他端は、配線Ｌ２２を介して端子Ｔ２２にそれぞれ接続される。
【００５０】
２線式のアダプタ３０を用いた本実施形態の電気錠システム１００においては、システムの立ち上げ時に電気錠１０の錠種判別や施解錠状態の判別が実行される。このとき電磁アクチュエータ１２１にも実際に駆動電流が通電されて錠種が確定される。判別された錠種は、制御ユニット２０の内蔵メモリ（例えば不揮発性メモリ）に格納される。
【００５１】
電気錠システム１００の初期設定は、例えば以下のように実施される。
【００５２】
まず制御ユニット２０において、通電直後に判別回路１４を用いて電気錠１０の施解錠状態及び開閉扉状態が検知される（状態判別）。このとき配線ラインの短絡も検知できるように、短い通電時間（例えば０．５ｍｓ以下）で電流検出閾値も例えば１Ａ以下と低く抑えられている。これにより過電流によるダメージから制御ユニット２０を保護することが可能となる。
【００５３】
状態判別動作が終了すると、制御ユニット２０に接続された電気錠１０の電磁アクチュエータ１２１が上記第一種〜第三種のいずれの電気錠に該当するかを識別するための錠種判別が、制御ユニット２０において実行される。ここでは、実際に電磁アクチュエータ１２１を駆動するため大きな電流閾値（例えば２Ａ以上）が設定される。このとき２線（Ｌ２１，Ｌ２２）のどちらを正極にすると施錠あるいは解錠になるかも検出される。通電時間も、電磁アクチュエータ１２１が十分駆動できる時間（例えば１秒〜３秒）に設定される。
【００５４】
ここで、電気錠１０の状態判別中に電磁アクチュエータ１２１の起動に伴うの突入電流が発生し、電気錠の状態判別を適正に行うことができなくなる場合がある。例えば電磁アクチュエータの起動時にデッドボルトが所定位置にない状態で電源が投入されたとき、電気錠の状態判別中にモータ起因の突入電流が発生しやすい。
【００５５】
そこで本実施形態のアダプタ３０は、電気錠１０の状態判別中に上記突入電流が発生することを防止するための規制部３４を有する。以下、規制部３４の詳細について説明する。
【００５６】
［規制部］
規制部３４は、第１の入出力部３１と第２の入出力部３２との間に接続され、電気錠１０への電源投入後、制御ユニット２０による電気錠１０の状態判別が完了するまで駆動部１２（電磁アクチュエータ１２１）の起動を規制するように構成されている。これにより電気錠１０の適正な状態判別を実施することが可能となり、電気錠１０の適正な動作を確保することができる。
【００５７】
規制部３４は、配線Ｌ１１，Ｌ１２の線間に各々接続された施錠用規制回路３４ａ及び解錠用規制回路３４ｂを有する。施錠用規制回路３４ａ及び解錠用規制回路３４ｂは、駆動回路１２２への電源入力を遅延させる遅延回路で構成される。このように駆動回路１２２への電源入力を遅延させることで、電磁アクチュエータ１２１の起動を規制することができる。また規制部３４を遅延回路で構成することにより、アダプタ３０の構成を複雑化することなく上記作用を容易に実現することができる。
【００５８】
施錠用規制回路３４ａは、施錠用駆動回路１２２ａの駆動トランジスタＴｒ１への通電を制御する制御トランジスタＴｒ３（スイッチング素子）と、制御トランジスタＴｒ３の入力段（ベース端子）に接続された遅延素子３５ａとを含む。制御トランジスタＴｒ３はＮＰＮ型トランジスタで構成され、そのベース端子は遅延素子３５ａを介して配線Ｌ１１に接続され、そのコレクタ端子及びエミッタ端子は端子Ｔ１２及び端子Ｔ２２にそれぞれ接続される。遅延素子３５ａは、制御トランジスタＴｒ３のベース端子と配線Ｌ１１との間に接続された抵抗Ｒ４１と、抵抗Ｒ４１の出力側と制御トランジスタＴｒ３のエミッタ端子との間に接続されたコンデンサＣ１１とを有するＣＲ並列回路で構成される。
【００５９】
施錠用規制回路３４ａは、ダイオードＤ３１及びＤ４１と、抵抗Ｒ５１をさらに有する。ダイオードＤ３１は、制御トランジスタＴｒ３のコレクタ−エミッタ端子間をバイパスするように配線Ｌ１２に接続され、端子Ｔ２２側から端子Ｔ１２側へ向かう電流の流れのみを許容する。これにより解錠時（端子Ｔ２１が負極、端子Ｔ２２が正極）において駆動回路１２２の通電を確保することができる。ダイオードＤ４１は、制御トランジスタＴｒ３のベース−エミッタ端子間に接続され、配線Ｌ１２側から配線Ｌ１１側へ向かう電流の流れのみを許容する。抵抗Ｒ５１は、ベース端子を安定化させる目的で、制御トランジスタＴｒ３のベース−エミッタ端子間に接続される。
【００６０】
一方、解錠用規制回路３４ｂは、解錠用駆動回路１２２ｂの駆動トランジスタＴｒ２への通電を制御する制御トランジスタＴｒ４（スイッチング素子）と、制御トランジスタＴｒ４の入力段（ベース端子）に接続された遅延素子３５ｂとを含む。制御トランジスタＴｒ４はＮＰＮ型トランジスタで構成され、そのベース端子は遅延素子３５ｂを介して配線Ｌ１２に接続され、そのコレクタ端子及びエミッタ端子は端子Ｔ１１及び端子Ｔ２１にそれぞれ接続される。遅延素子３５ｂは、制御トランジスタＴｒ４のベース端子と配線Ｌ１２との間に接続された抵抗Ｒ４２と、抵抗Ｒ４２の出力側と制御トランジスタＴｒ４のエミッタ端子との間に接続されたコンデンサＣ１２とを有するＣＲ並列回路で構成される。
【００６１】
解錠用規制回路３４ｂは、ダイオードＤ３２及びＤ４２と、抵抗Ｒ５２をさらに有する。ダイオードＤ３２は、制御トランジスタＴｒ４のコレクタ−エミッタ端子間をバイパスするように配線Ｌ１１に接続され、端子Ｔ２１側から端子Ｔ１１側へ向かう電流の流れのみを許容する。これにより施錠時（端子Ｔ２１が正極、端子Ｔ２２が負極）において駆動回路１２２の通電を確保することができる。ダイオードＤ４２は、制御トランジスタＴｒ４のベース−エミッタ端子間に接続され、配線Ｌ１１側から配線Ｌ１２側へ向かう電流の流れのみを許容する。抵抗Ｒ５２は、ベース端子を安定化させる目的で、制御トランジスタＴｒ４のベース−エミッタ端子間に接続される。
【００６２】
施錠用規制回路３４ａ及び解錠用規制回路３４ｂは、コンデンサＣ１１，Ｃ１２の容量値と抵抗Ｒ４１，Ｒ４２の抵抗値との積で定義される時定数を有し、制御ユニット２０から電気錠１０への電源投入後、当該時定数に基づいて定まる時間をおいて制御トランジスタＴｒ３，Ｔｒ４の駆動を遅延させる。したがって端子Ｔ２１−Ｔ２２間に印加された電源電圧は、端子Ｔ１３〜Ｔ１６へ印加されてから上記時間だけ遅延して端子Ｔ１１−Ｔ１２間に印加される。これにより駆動回路１２２ａ，１２２ｂの駆動トランジスタＴｒ１，Ｔｒ２の駆動も遅延されることになる。
【００６３】
したがって上記遅延時間内に判別回路１４を用いた電気錠１０の状態判別が完了すれば、電磁アクチュエータ１２１の起動時に発生し得る突入電流から制御ユニット２０を保護できるとともに、電気錠の状態判別を適正に実行することが可能となる。
【００６４】
また規制部３４（３４ａ，３４ｂ）が端子Ｔ１１，Ｔ１２間に電気的に接続されており、かつ端子Ｔ１３〜Ｔ１６に電気的に接続されていないため、判別回路１４を用いた電気錠１０の状態判別に影響を与えることなく、駆動部１２の起動を規制することができる。
【００６５】
なおコンデンサＣ１１，Ｃ１２に充電された電荷は、施錠又は解錠制御電流の通電が解除された後に放電される。
【００６６】
コンデンサＣ１１，Ｃ１２の各容量値、抵抗Ｒ４１，Ｒ４２の各抵抗値はそれぞれ同一に設定されてもよいし、異なる値に設定されてもよい。抵抗Ｒ４１，Ｒ４２は制御トランジスタＴｒ３，Ｔｒ４を大電流から保護するための抵抗素子を兼ねるが、専用の抵抗素子を別途接続してもよい。
【００６７】
一方、本実施形態のアダプタ３０は、第１の電流生成回路３６と、第２の電流生成回路３７と、第３の電流生成回路３８とをさらに有する。
【００６８】
第１の電流生成回路３６は図示するようにコンデンサＣ６と２つの抵抗Ｒ６１，Ｒ６２とを有するＣＲ回路で構成され、開閉扉スイッチＳ１を含む第１の判別回路部１４１に流れるコンデンサＣ６に起因する過渡電流（突入電流ともいうが、ここではコンデンサに由来する突入電流を過渡電流と称する。以下同様。）を生成する。第２の電流生成回路３７は、図示するようにコンデンサＣ７と２つの抵抗Ｒ７１，Ｒ７２とを有するＣＲ回路で構成され、施解錠スイッチＳ２を含む第２の判別回路部１４２に流れる過渡電流を生成する。
【００６９】
第３の電流生成回路３８は、図示するようにコンデンサＣ７と抵抗Ｒ７のＣＲ直列回路で構成され、２つの端子Ｔ２１及びＴ２２の極性判別を行うための過渡電流を生成する。すなわち端子２１が正極（端子２２が負極）の場合には瞬間的な通電が生じ得るが、これとは逆に、端子２１が負極（端子２２が正極）の場合はダイオードＤ３２によって通電が阻止される。これらの通電特性の違いを利用して端子２１，２２の極性が判別される。
【００７０】
第１〜第３の電流生成回路３６〜３８は、それぞれ固有の時定数（あるいはコンデンサＣ〜Ｃ８の充電時間）を有し、それらの大きさは、扉の開閉状態判別、施解錠状態判別及び端子２１，２２の極性判別に要する時間にそれぞれ設定され、これらの時間の総和によって状態判別の実行期間（Δｔ）が定められる。状態判別の実行期間（Δｔ）は、施錠用及び解錠用規制回路３４ａ，３４ｂによるモータの起動開始遅延時間（ΔＴ）よりも短い時間に設定される。
【００７１】
なお、第１及び第２の電流生成回路３６，３７は、制御ユニット２０における状態判別の正確性を期するためのものであるため、必要に応じて省略されてもよい。すなわち制御ユニット２０において状態判別のための電流制御が可能である場合には、第１及び第２の電流生成回路３６，３７は省略されてもよい。
【００７２】
また、第３の電流生成回路３８に関しては、その周辺回路（例えば規制回路３４ａ，３４ｂ）の種々の回路特性に応じてコンデンサＣ８の容量や抵抗Ｒ８の抵抗値等は適宜の変更が可能であり、場合によってはコンデンサＣ８を削除してもよい。
【００７３】
上述のように電気錠１０の状態判別では、制御ユニット２０の保護を目的とする配線の短絡も検出するため、電流閾値が小さく抑えられる。このため状態判別時にノイズとなり得るモータ起因の突入電流の発生を有効に阻止する必要がある。
【００７４】
図５は、状態判別の実行期間（Δｔ）とモータ（電磁アクチュエータ１２１）の起動開始遅延時間（ΔＴ）との関係の一例を示すタイミングチャートである。入力部１３への電源投入と同時に状態判別の処理が開始され、その処理の完了後、モータが起動される。このため、電源が投入されてからモータが起動するまでの遅延時間ΔＴは、状態判別に要する時間Δｔよりも長いことが必要とされる。Δｔの大きさは特に限定されず、例えば０．５ｍｓ以下とされる。したがって施錠用及び解錠用規制回路３４ａ，３４ｂの遅延素子３５ａ，３５ｂの時定数は、Δｔよりも長い遅延時間ΔＴが確保される値にそれぞれ設定される。
【００７５】
電気錠の状態判別の完了後に実行される錠種判別では、状態判別のように突入電流を遅らせる必要は必ずしもない。すなわち錠種判別時の電流閾値が突入電流の電流値よりも大きければ、錠種判別時に突入電流が発生しても影響を受けることはない。したがってΔＴは、電気錠システムの動作に支障をきたさない範囲で適宜に設定可能である。
【００７６】
以上のように本実施形態によれば、電気錠１０の状態判別時に電磁アクチュエータ１２１に起因する突入電流の発生を阻止することができる。これにより電気錠システム１００の状態判別を適正に実施できるとともに、電気錠１０の状態判別中に発生する突入電流から制御ユニット２０を効果的に保護することができる。
【００７７】
また本実施形態によれば、施錠時及び解錠時のいずれの場合にも突入電流の発生を遅らせることができるので、電気錠の状態判別を常に適正に行うことができる。
【００７８】
以上、本技術の実施形態について説明したが、本技術は上述の実施形態にのみ限定されるものではなく、本技術の要旨を逸脱しない範囲内において種々変更を加え得ることは勿論である。
【００７９】
例えば以上の実施形態では、規制部３４として、施錠用規制回路３４ａ及び解錠用規制回路３４ｂで構成したが、制御トランジスタＴｒ３，Ｔｒ４の駆動を制御する制御回路を別途設置し、当該制御回路にオン遅延タイマ等の遅延機能を組み込んでもよい。また適宜のリレー回路を用いて制御トランジスタの起動タイミングを遅らせてもよい。
【００８０】
また以上の実施形態では、電磁アクチュエータ１２１に直流モータが採用された電気錠（第三種電気錠）を例に挙げて説明したが、電磁アクチュエータにソレノイドが採用された電気錠（第一種あるいは第二種電気錠）についても本発明は適用可能である。
【符号の説明】
【００８１】
１０…電気錠
１１…錠止機構
１２…駆動部
１４…判別回路
２０…制御ユニット
３０…アダプタ
３１…第１の入出力部
３２…第２の入出力部
３４…規制部
３５ａ，３５ｂ…遅延素子
１００…電気錠システム
１２１…電磁アクチュエータ
１２２…駆動回路
【図１】
2014190110.tif 000003
【図２】
2014190110.tif 000004
【図３】
2014190110.tif 000005
【図４】
2014190110.tif 000006
【図５】
2014190110.tif 000007